(57)【要約】  【課題】  細かい絵柄で且つ動きの速いシーンについても解像度が低下することのないディスク記録装置とディスク再生装置を提供すること。  【解決手段】  データ記録用として３個の半導体レーザーＡ、Ｂ、Ｃを用い、光ディスクの領域Ａ、Ｂ、Ｃに個別にデータが記憶できるようにし、通常は半導体レーザーＡによりディスクの領域Ａにデータを記録しているが、記録ビットレートを上げるときは、半導体レーザーＢによりディスクの領域Ｂにもデータを記録し、これにより半導体レーザー(Ａ＋Ｂ)により２倍の記録ビットレートとし、更に記録ビットレートを上げるときは半導体レーザーＣによりディスクの領域Ｃにもデータを記録し、これにより半導体レーザー(Ａ＋Ｂ＋Ｃ)により３倍の記録ビットレートが得られるようにしたもの。  【選択図】  図１
2005141834.tif 000002
【特許請求の範囲】
【請求項１】
ディスク状記録媒体にデータを記録する複数の記録手段と、各記録手段に記録用データを供給するデータ処理手段と、記録用データ量を削減するエンコード手段と、ディスク状記録媒体に記録する記録用データのアドレスを検出するアドレス検出手段と、前記エンコード手段の最高記録ビットレートの値を設定するビットレート設定手段と、現状の最高記録ビットレートを伸張するデコード手段と、前記各手段を制御するレート制御手段とを備えたディスク記録装置において、
前記レート制御手段は、
前記記録データ量を削減する手段の情報に基いて可変記録ビットレート記録時の画質が一定の基準より劣化すると判断したとき、前記記録手段を２系統並列に動作させて最高記録ビットレートをＮからＥ×Ｎ(Ｅは１より大きく２以下の数値)に変更してデータを記録可能に制御し、
更に画質が一定の基準より劣化すると判断したとき、前記記録手段を３系統並列に動作させることにより、
最高記録ビットレートをＥ×ＮからＦ×Ｎ(Ｆは２より大きく３以下の数値)に変更してデータを記録可能に制御することを特徴とするディスク記録装置。
【請求項２】
請求項１に記載のディスク記録装置において、
前記レート制御手段は、前記アドレス検出手段と前記記録手段、それに前記データ処理手段を用い、
記録済みデータが連続するように予めディスク状記録媒体にスペースを空けてデータを記録し、当該スペースに、最高記録ビットレートを上げるためディスクの別領域に記録していたデータを記録することにより、
記録データの連続性とディスク規格の充足が得られるようにしたことを特徴とするディスク記録装置。
【請求項３】
請求項１に記載のディスク記録装置において、
前記ディスク状記録媒体が、光ディスク又は光磁気ディスクで、
前記記録手段が半導体レーザーであり、
前記エンコード手段がＭＰＥＧ２方式のエンコーダであることを特徴とするディスク記録装置。
【請求項４】
ディスク状記録媒体からデータを再生する手段と、データ量が削減されディスク状記録媒体に記録されたデータを元の記録データに復元するデコード手段と、前記デコード手段の最高記録ビットレートの値を設定するビットレート設定手段と、前記ビットレート設定手段の情報に基づいてディスク状記録媒体の回転数を制御する回転数制御手段とを備えたディスク再生装置において、
前記回転数制御手段は、
最高記録ビットレートＮのときの回転数をＫとして、最高記録ビットレートがＥ×Ｎ(Ｅは１より大きく２以下の数値)の場合は回転数が常時Ｅ×Ｋとなるようにディスク回転数を固定制御させ、
最高記録ビットレートがＦ×Ｎ(Ｆは２より大きく３以下の数値)の場合は回転数が常時Ｆ×Ｋとなるようにディスク回転数を固定制御し、
記録した最高記録ビットレートに応じて再生時のディスクの回転数をＥ×Ｋ又はＦ×Ｋの何れかに固定することにより、
再生したデータを記録時のデータに復元することを特徴とするディスク再生装置。
【請求項５】
ディスク状記録媒体からデータを再生する手段と、データ量が削減されディスク状記録媒体に記録されたデータを元の記録データに復元するデコード手段と、前記デコード手段の最高記録ビットレートの値を設定するビットレート設定手段と、前記ビットレート設定手段の情報に基づいてディスク状記録媒体の回転数を制御する回転数制御手段とを備えたディスク再生装置において、
前記回転数制御手段は、
再生データから判別した最高記録ビットレートの情報に基づき、最高記録ビットレートＮのときの回転数をＫとして、最高記録ビットレートがＥ×Ｎ(Ｅは１より大きく２以下の数値)でデータが記録されているディスク領域では回転数をＥ×Ｋに変更し、
最高記録ビットレートがＦ×Ｎ(Ｆは２より大きく３以下の数値)でデータが記録されているディスク領域では回転数をＦ×Ｋに変更し、
記録したデータの最高記録ビットレートに応じて再生時のディスクの回転数を随時変更することにより、
再生したデータを記録時のデータに復元することを特徴とするディスク再生装置。
【請求項６】
ディスク状記録媒体からデータを再生する手段と、データ量が削減されディスク状記録媒体に記録されたデータを元の記録データに復元するデコード手段と、前記ディスク状記録媒体から再生するデータのアドレスを検出するアドレス検出手段と、記録済みのデータの中で最高記録ビットレートがＮを越えたデータを記憶するデータメモリ手段と、記録済みのデータの中で最高記録ビットレートがＮを越えたデータのアドレスを記憶するアドレスメモリ手段とを備えたディスク再生装置において、
前記アドレス検出手段とアドレスメモリ手段の情報に基づき、前記データメモリ手段から予め最高記録ビットレートがＮを越えたデータを読み出しておき、
前記アドレスメモリ手段の情報に基づき、最高記録ビットレートがＮ以下のデータの部分が再生された場合、この最高記録ビットレートがＮ以下のデータと前記最高記録ビットレートがＮを越えた部分のデータをまとめて前記デコード手段に入力することにより、
再生したデータを記録時のデータに復元するように構成したことを特徴とするディスク再生装置。
【請求項７】
ディスク状記録媒体からデータを再生する複数のピックアップ手段と、データ量が削減されディスク状記録媒体に記録したデータを元の記録データに復元するデコード手段と、前記ディスク状記録媒体から再生するデータのアドレスを検出するアドレス検出手段と、記録済みのデータの中で最高記録ビットレートがＮを越えたデータのアドレスを記憶するアドレスメモリ手段とを備えたディスク再生装置において、
前記アドレスメモリ手段の情報に基づき、最高記録ビットレートがＥ×Ｎ(Ｅは１より大きく２以下の数値)のデータに対しては前記ピックアップ手段を２系統並列に動作させ、
最高記録ビットレートがＦ×Ｎ(Ｆは２より大きく３以下の数値)のデータに対しては前記ピックアップ手段を３系統並列に動作させ、
再生時、前記ピックアップ手段の個数を変更することにより、
再生したデータを記録時のデータに復元するように構成したことを特徴とするディスク再生装置。
【請求項８】
請求項４から請求項７に記載のディスク再生装置の何れかにおいて、
前記ディスク状記録媒体が、光ディスク又は光磁気ディスクで、
前記ピックアップ手段が半導体レーザーであり、
前記エンコード手段がＭＰＥＧ２方式のエンコーダであることを特徴とするディスク再生装置。
【発明の詳細な説明】
【技術分野】
【０００１】
この発明は、データの記録にディスク状記憶媒体を用いた記録装置と再生装置に係り、特に光ディスクや光磁気ディスクなどを用いたビデオデータの記録装置と再生装置に関する。
【背景技術】
【０００２】
近年、民生用の映像・音声信号を記録する機器として、光や光磁気によってディジタルデータを記録再生する方式のディジタルビデオディスクが普及してきている。
【０００３】
そして、このようなディジタルビデオディスクについては、例えばＤＶＤ−ＲＡＭ、ＤＶＤ−ＲＷ、ＤＶＤ＋ＲＷなどの規格が存在し、これらを使用したレコーダーはディジタルビデオディスクレコーダーと呼ばれている。
【０００４】
なお、以下、このディジタルビデオディスクレコーダーについては、“ディスク”又は“光ディスク”と略記する場合もある。
【０００５】
しかし、この光ディスクの記録ビットレートは、ＨＤＤ(ハードディスクレコーダー)による最高記録ビットレートと比較すると著しく遅く、毎秒記録可能なデータ量は、例えばＡＴＡ１００規格によるＨＤＤの場合、連続データの読み書きで実質的には３２０Ｍbps(Ｍbit／sec)程度にも達しているのに対して、光ディスクでは、１倍速のとき１１Ｍbps 程度しかない。
【０００６】
この結果、光ディスクでは、それに記録可能な記録レートが最高記録ビットレートまでに抑えられるので、ＭＰＥＧ方式などによるデータ圧縮回路でバリアブルビットレート記録に際して、細かい絵柄で且つ動きの速いシーンのとき、必要な記録ビットレートが不足して、画像の解像度が目で見て分かる程度に悪化してしまうという問題がある。
【０００７】
そこで、このような問題点に対処し、光(光磁気)ディスクの最高記録ビットレートを上げるため、ディスクの片面にｎ個(ｎは２以上の整数)、両面では２ｎ個の光ヘッドを用い、これにより角速度一定の記録方式でありながら、線速度一定の記録方式の場合と同等の高記録密度で高転送レートを実現したディスク装置が提案されている(例えば、特許文献１参照。)。
【０００８】
また、再生時の転送レートを向上させるため、ｎ個の光ピックアップを備え、最外周の光ピックアップで検出した信号によりスピンドルモーターを制御し、これによりデータ転送が破綻することなく転送レートの高速化を実現できるようにした光ディスク装置および再生方法も従来から知られている(例えば、特許文献２参照。)。
【特許文献１】特開平４−１８４７８２号公報
【特許文献２】特開平８−３２１１２５号公報
【発明の開示】
【発明が解決しようとする課題】
【０００９】
しかしながら、特許文献１による従来技術の場合、複数の光ヘッドをそれぞれ用いて記録再生することが前提になっているため、光ディスクの通常のデータフォーマットである線速度一定(ＣＬＶ方式：ディスク上の記録済ピット間隔が一定)の規格から外れた記録再生方式になっていて、汎用性に欠けている。
【００１０】
また、特許文献２による従来技術では、単に複数の光ピックアップを使用してディスクから高速にデータを読み出す方式にすぎないので、再生レートは向上できるが、記録レートの向上については何も考慮されていない。
【００１１】
本発明は、上記した従来技術の問題点に鑑みてなされたもので、その目的は、細かい絵柄で且つ動きの速いシーンについても解像度が低下することのないディスク記録装置とディスク再生装置を提供することにある。
【課題を解決するための手段】
【００１２】
上記目的は、ディスク状記録媒体にデータを記録する複数の記録手段と、各記録手段に記録用データを供給するデータ処理手段と、記録用データ量を削減するエンコード手段と、ディスク状記録媒体に記録する記録用データのアドレスを検出するアドレス検出手段と、前記エンコード手段の最高記録ビットレートの値を設定するビットレート設定手段と、現状の最高記録ビットレートを伸張するデコード手段と、前記各手段を制御するレート制御手段とを備えたディスク記録装置において、前記レート制御手段は、前記記録データ量を削減する手段の情報に基いて可変記録ビットレート記録時の画質が一定の基準より劣化すると判断したとき、前記記録手段を２系統並列に動作させて最高記録ビットレートをＮからＥ×Ｎ(Ｅは１より大きく２以下の数値)に変更してデータを記録可能に制御し、更に画質が一定の基準より劣化すると判断したとき、前記記録手段を３系統並列に動作させることにより、最高記録ビットレートをＥ×ＮからＦ×Ｎ(Ｆは２より大きく３以下の数値)に変更してデータを記録可能に制御することにより達成される。
【００１３】
このとき、前記レート制御手段は、前記アドレス検出手段と前記記録手段、それに前記データ処理手段を用い、記録済みデータが連続するように予めディスク状記録媒体にスペースを空けてデータを記録し、当該スペースに、最高記録ビットレートを上げるためディスクの別領域に記録していたデータを記録することにより、記録データの連続性とディスク規格の充足が得られるようにしても、上記目的を達成することができる。
【００１４】
同じく、このとき、前記ディスク状記録媒体が、光ディスク又は光磁気ディスクで、前記記録手段が半導体レーザーであり、前記エンコード手段がＭＰＥＧ２方式のエンコーダであるようにしてもよい。
【００１５】
また、上記目的は、ディスク状記録媒体からデータを再生する手段と、データ量が削減されディスク状記録媒体に記録されたデータを元の記録データに復元するデコード手段と、前記デコード手段の最高記録ビットレートの値を設定するビットレート設定手段と、前記ビットレート設定手段の情報に基づいてディスク状記録媒体の回転数を制御する回転数制御手段とを備えたディスク再生装置において、前記回転数制御手段は、最高記録ビットレートＮのときの回転数をＫとして、最高記録ビットレートがＥ×Ｎ(Ｅは１より大きく２以下の数値)の場合は回転数が常時Ｅ×Ｋとなるようにディスク回転数を固定制御させ、最高記録ビットレートがＦ×Ｎ(Ｆは２より大きく３以下の数値)の場合は回転数が常時Ｆ×Ｋとなるようにディスク回転数を固定制御し、記録した最高記録ビットレートに応じて再生時のディスクの回転数をＥ×Ｋ又はＦ×Ｋの何れかに固定することにより、再生したデータを記録時のデータに復元することによっても達成される。
【００１６】
次に、上記目的は、ディスク状記録媒体からデータを再生する手段と、データ量が削減されディスク状記録媒体に記録されたデータを元の記録データに復元するデコード手段と、前記デコード手段の最高記録ビットレートの値を設定するビットレート設定手段と、前記ビットレート設定手段の情報に基づいてディスク状記録媒体の回転数を制御する回転数制御手段とを備えたディスク再生装置において、前記回転数制御手段は、再生データから判別した最高記録ビットレートの情報に基づき、最高記録ビットレートＮのときの回転数をＫとして、最高記録ビットレートがＥ×Ｎ(Ｅは１より大きく２以下の数値)でデータが記録されているディスク領域では回転数をＥ×Ｋに変更し、更に最高記録ビットレートがＦ×Ｎ(Ｆは２より大きく３以下の数値)でデータが記録されているディスク領域では回転数をＦ×Ｋに変更し、記録したデータの最高記録ビットレートに応じて再生時のディスクの回転数を随時変更することにより、再生したデータを記録時のデータに復元することによっても達成される。
【００１７】
また、上記目的は、ディスク状記録媒体からデータを再生する手段と、データ量が削減されディスク状記録媒体に記録されたデータを元の記録データに復元するデコード手段と、前記ディスク状記録媒体から再生するデータのアドレスを検出するアドレス検出手段と、記録済みのデータの中で最高記録ビットレートがＮを越えたデータを記憶するデータメモリ手段と、記録済みのデータの中で最高記録ビットレートがＮを越えたデータのアドレスを記憶するアドレスメモリ手段とを備えたディスク再生装置において、前記アドレス検出手段とアドレスメモリ手段の情報に基づき、前記データメモリ手段から予め最高記録ビットレートがＮを越えたデータを読み出しておき、前記アドレスメモリ手段の情報に基づき、最高記録ビットレートがＮ以下のデータの部分が再生された場合、この最高記録ビットレートがＮ以下のデータと前記最高記録ビットレートがＮを越えた部分のデータをまとめて前記デコード手段に入力することにより、再生したデータを記録時のデータに復元するように構成しても達成される。
【００１８】
更に、上記目的は、ディスク状記録媒体からデータを再生する複数のピックアップ手段と、データ量が削減されディスク状記録媒体に記録したデータを元の記録データに復元するデコード手段と、前記ディスク状記録媒体から再生するデータのアドレスを検出するアドレス検出手段と、記録済みのデータの中で最高記録ビットレートがＮを越えたデータのアドレスを記憶するアドレスメモリ手段とを備えたディスク再生装置において、前記アドレスメモリ手段の情報に基づき、最高記録ビットレートがＥ×Ｎ(Ｅは１より大きく２以下の数値)のデータに対しては前記ピックアップ手段を２系統並列に動作させ、最高記録ビットレートがＦ×Ｎ(Ｆは２より大きく３以下の数値)のデータに対しては前記ピックアップ手段を３系統並列に動作させ、再生時、前記ピックアップ手段の個数を変更することにより、再生したデータを記録時のデータに復元するようにしても達成される。
【００１９】
このとき、前記ディスク状記録媒体が、光ディスク又は光磁気ディスクで、前記ピックアップ手段が半導体レーザーであり、前記エンコード手段がＭＰＥＧ２方式のエンコーダであってもよい。
【発明の効果】
【００２０】
本発明によれば、例えばＭＰＥＧ方式などのデータ圧縮回路により、ディスクに記録データをバリアブルビットレートで記録するとき、現状の記録再生可能な光ディスク機器で行われているように、最高記録ビットレートを５Ｍbps で固定にしておいた場合でも、細かい絵柄で且つ動きの速いシーンでだけ選択的に、最高記録ビットレートを１０Ｍbps とか１５Ｍbps に向上させることができるディスク記録装置とディスク再生装置を提供することができる。
【発明を実施するための最良の形態】
【００２１】
以下、本発明によるディスク記録装置とディスク再生装置について、図示の実施の形態により詳細に説明する。
【００２２】
なお、ここで本発明の実施形態の説明に入る前に、まず、本発明による記録方式について、光ディスクにビットレートＮとビットレートＥＮ、それにビットレートＦＮのデータを記録する場合について説明する。
【００２３】
このとき、ＥとＦはビットレートＮに対する倍率で、ここで、まずＥは、１より大きく２以下の数値、つまり(１＜Ｅ≦２)の関係にあり、次にＦは、２より大きく３以下の数値、つまり(２＜Ｆ≦３)の関係にあるものとする。
【００２４】
そして、まず、ここでは、Ｅ＝２、Ｆ＝３として説明すると、この場合、本発明では、図１の(a)に示すように、まず、記録可能な最高記録ビットレートがＮのレーザー(半導体レーザー)Ａを設け、これを主記録用とする。
【００２５】
次に、このレーザーＡに追加して、これと同等の性能、つまり記録可能な最高記録ビットレートがＮの半導体レーザーを複数個、例えばレーザーＢとレーザーＣの２個を設け、通常は、これらレーザーＢ、Ｃは動作させず、主記録用のレーザーＡだけを用いて記録する。
【００２６】
そして、このレーザーＡによる記録中、記録ビットレートを最高記録ビットレートＮから上げたい場合が生じたら、まず、レーザーＢ及びその関連回路の動作を開始させる。
【００２７】
そうすると、このときは、レーザーＡの最高記録ビットレートＮ＋レーザーＢの最高記録ビットレートＮとなって、最高記録ビットレートを２Ｎ(Ｅ＝２)に上げることができる。
【００２８】
次に、これら２個のレーザーＡ、Ｂで記録中、更に記録ビットレートを最高記録ビットレート２Ｎから上げたい場合には、更にレーザーＣ及びその関連回路の動作も併せて開始させる。
【００２９】
そうすると、このときは、レーザーＡの最高記録ビットレートＮ＋レーザーＢの最高記録ビットレートＮ＋レーザーＣの最高記録ビットレートＮとなるので、最高記録ビットレートを３Ｎ(Ｆ＝３)に上げることができる。
【００３０】
また、このため、レーザーＡによりディスクの内周から外周にデータを記録してゆく際、図１の(b)に示すように、レーザーＡによる記憶領域Ａとは別に、レーザーＢ、Ｃによる記録領域Ｂと記録領域Ｃを予め確保しておく。そして、これらの領域Ｂ、Ｃは、それらに記録がなされたかったとき、その後、更に記録したいデータがレーザーＡにより上書きされてゆくようにする。
【００３１】
ここで、領域Ａは円形の境界線Ａｓの内周から境界線Ａｅの外周で区切られ、領域Ｂは境界線Ｂｓの内周から境界線Ｂｅの外周で区切られ、領域Ｃは境界線Ｃｓの内周から境界線Ｃｅの外周で区切られている。
【００３２】
なお、図１の(a)に示されている管理情報記録領域とは、ユーザーにより、予め、若しくは後から任意に追加される記録再生可能な領域とは別に、主としてディスクの最内周部分に確保してある領域のことであり、ベースとは、詳しくは後述するが、レーザーを保持している機構をさす。
【００３３】
次に、図２は、レーザーＡ、Ｂ、Ｃの動きと、ディスク上における記録ピット列の形成状況を示したもので、このときピット(記録ピット)とは、ディスク上にレーザーで開けられる穴のことで、記録データの‘０’と‘１’が交互に続いたとき、データ‘１’の位置で、黒丸で示すように形成されるものである。
【００３４】
そして、ここに図示されているベースは、通常、キャリッジアクチュエータと呼ばれる機構で、レーザーを保持し、ディスクの半径方向に移動させる働きをし、これによりレーザーＡは領域Ａ内で、レーザーＢは領域Ｂ内で、そしてレーザーＣは領域Ｃ内で、それぞれ移動させられる。
【００３５】
ここで、この図２では、記録ピット列の内、領域Ａにおけるピット間隔が、記録再生可能なＤＶＤで採用されている線速度一定(ＣＬＶ)記録の場合で、高密度記録可能な場合におけるピット間隔(或るピットと次のピットの距離)を表わしている。
【００３６】
このとき、ディスクの回転数(回転速度)は、領域Ａにおけるピット間隔が所定の一定の間隔になるように、ＣＬＶ方式により制御されるため、領域Ｂでのピット間隔は、領域Ａのピット間隔より広くなり、同様な理由で、領域Ｃのピット間隔は、領域Ｂのピット間隔より更に広がる。
【００３７】
従って、ディスク上の領域Ｂと領域Ｃでは、ＣＬＶ記録方式による規格を満たしていないが、これの領域は、後でレーザーＡにより新らたな記録データで上書き使用されるので、無駄にはならない。
【００３８】
また、ディスク上の領域Ｂと領域Ｃのデータを再生する場合、必要ならばレーザーＡ、Ｂ、Ｃで同時に再生するため、ディスクの回転数を領域Ｂと領域Ｃで変える必要は無い。
【００３９】
次に、本発明によるディスク記録装置の実施形態について図３ａ、ｂにより説明すると、これは、最高記録ビットレート３Ｎの場合の一実施形態のブロック図であり、そして図４は、この実施形態における媒体の総記録面積とレーザーＡ、Ｂ、Ｃの記録位置の関係を示した図である。
【００４０】
なお、ここでは、主記憶媒体として、ＤＶＤ規格によるディジタルデータを記録再生可能な光ディスクを使用した場合について示しているが、これに限るものではない。
【００４１】
また、このときの記録レートについては、例えば記録ビットレートをＮから向上させる場合、１.１Ｎや１.５Ｎ、或いは２.３Ｎなど、必要とする任意な倍率にすることができる。しかし、ここでは、説明を簡略化するため、一例としてＮから２Ｎ及び３Ｎに向上させる場合について説明する。
【００４２】
そして、この図３ａにおいて、まず、１は記録レート伸張回路で、主制御部として機能するものであるが、詳細は後述する。次に、２はＭＰＥＧ２エンコーダで、動画データ量を削減するために一般的に使用されている回路である。
【００４３】
また、３はビットレートＮ設定部で、ユーザーが外部から通常の記録ビットレートＮを２Ｎや３Ｎに任意に設定でき、記録ビットレートがＮを越えた場合に最高記録ビットレートを２Ｎや３Ｎに制限する制御信号を記録レート伸張回路１に出力する働きをする。
【００４４】
以下、４はディスクアドレス検出回路で、ディスク上のアドレスを検出して常に現状のアドレスを示す働きをし、５Ａ、５Ｂ、５Ｃは夫々録再データ処理回路Ａ、Ｂ、Ｃで、ＭＰＥＧ２エンコーダ２の出力であるディジタルのパラレルデータをシリアルデータに変換し、ディスク上に記録し易い様に直流成分を減少させる為に変調／復調等の処理を行う。
【００４５】
このとき、録再データ処理回路５Ａは録再用ピックアップ６Ａを制御し、録再データ処理回路５Ｂは録再用ピックアップ６Ｂを制御し、そして、録再データ処理回路６Ｃは録再用ピックアップ６Ｃを制御する。
【００４６】
ここで、録再用ピックアップ６Ａ、６Ｂ、６Ｃは、それぞれデータをディスクに記録するためのレーザー(半導体レーザー)Ａ、Ｂ、Ｃと<ディスクに記録したデータを再生するためのピックアップＡ、Ｂ、Ｃの双方を備えている。
【００４７】
次に、記録レート伸張回路１の詳細について説明すると、これは、図示のように、記録レート計算回路１１とビットレート２Ｎ検出部１２、ビットレート３Ｎ検出部１３、ＰＵ Ａ／Ｂアドレスメモリ１４、ＰＵ Ａ／Ｃアドレスメモリ１５、回路Ａ、Ｂ、Ｃ制御部１６、それにピックアップ制御部１７で構成されている。
【００４８】
そして、まず、記録レート計算回路１１は、記録レートを計算して次段の回路に制御信号を渡す働きをし、次に、ビットレート２Ｎ検出部１２は、記録レート計算回路１１の出力を受けてビットレートが２Ｎになった場合に次段の回路に制御信号を渡す働きをし、ビットレート３Ｎ検出部１３は、ビットレートが３Ｎになった場合に次段の回路に制御信号を渡す働きをする。
【００４９】
更に、ＰＵ Ａ／Ｂアドレスメモリ１４は、ビットレートが２Ｎになった場合の録再用ピックアップ６Ａ、６Ｂのアドレスを記憶する働きをし、ＰＵ Ａ／Ｃアドレスメモリ１５は、ビットレートが３Ｎになった場合の録再用ピックアップ６Ａ、６Ｂ、６Ｃのアドレスを記憶する働きをする。
【００５０】
また、回路Ａ、Ｂ、Ｃ制御部１６は、最高記録ビットレートの設定値Ｎ、２Ｎ、３Ｎに応じて録再データ処理回路５Ａ、５Ｂ、５Ｃを動作させる働きをし、ピックアップ制御部１７は、録再データ処理回路５Ａ、５Ｂ、５Ｃと連動して、これら録再データ処理回路５Ａ、５Ｂ、５Ｃの先に有る録再用ピックアップ６Ａ、６Ｂ、６Ｃを動作させる働きをする。
【００５１】
ところで、ＭＰＥＧ２エンコーダ２は一般的な回路で周知のものを使用すればよいので、詳細な説明は割愛し、簡単に説明すると、まず、２１は動き検出回路で、これは画像の動きを検出する働きをし、次に、２２は予測メモリで、前画像のデータを一時的に蓄える働きをする。
【００５２】
また、２３はＤＣＴで、データの周波数成分を分解し、２４は量子化部で、周波数成分によりデータの重み付けを行い、２５は逆量子化部で、量子化部２４と逆の逆量子化を行い、２６はＩＤＣＴで、分解されたデータの周波数成分を元の状態に戻す働きをする。
【００５３】
次に、２７は可変長エンコード部で、２８はバッファメモリであり、このバッファメモリ２８は記録データを一時的に記憶しておく働きをし、そして、２９はレート制御部で、周波数成分により記録レートの増減を制御する。
【００５４】
次に、この図３ａの実施形態において、記録ビットレートを必要な場合にのみ向上させる制御手順について、図４により説明する。このとき、データはディスクの内周から外周に向かって記録してゆくものとする。
【００５５】
そして、記録時は、通常、記録用レーザー１個(録再用ピックアップ６Ａ内のレーザーＡ)により、図１のディスクの一番内側の境界線Ａｓから記録を開始していく。
【００５６】
このとき、図１のディスクにおいて、境界線Ａｓから境界線Ｃｅまで、１μｍ(ミクロンメータ)未満の幅の溝が、途切れること無く渦巻き状に連続して彫ってあり、この溝の中で記録データが‘１’のときレーザーＡをＯＮにし、図２の黒丸印(●)で示すようにピットを形成させ、記録データが‘０’のときはレーザーＡをＯＦＦとしてデータを記録していく。
【００５７】
ここで、図４のＮo.１〜Ｎo.７は、ディスクの境界線Ａｓから境界線Ｃｅ迄渦巻き状に続いている溝を、見易くするため、直線にして示した図である。
【００５８】
そして、この図４の中のＤ１は、データの塊(例えば１１Ｍｂｉｔのデータの塊)を表わしたもので、Ｄ２−１、Ｄ２−２、Ｄ２−３は、同じくＤ２のデータの塊を２箇所以上記録する場合、領域Ａに記録するときはＤ２−１とし、領域Ｂに記録するときはＤ２−２、領域Ｃに記録するときはＤ２−３と表記したものである。
【００５９】
この図４において、いま、Ｎo.１のデータＤ２の記録ビットレートを２倍(２Ｎ)に上げたい場合は、Ｎo.２に示すように、録再用ピックアップ６Ａよりもデータの外周部分に装着してある録再用ピックアップ６Ｂ内のレーザーＢを動作させ、Ｄ２−２を記録する。
【００６０】
また、記録ビットレートが２Ｎでも足りない場合は、Ｎo.３に示すように、レーザーＢよりさらに外周部分に装着されている録再用ピックアップ６Ｃ内のレーザーＣを動作させ、Ｄ２−３を記録する。
【００６１】
ここで、次に記録するデータＤ３の記録ビットレートがＮに戻る場合は、Ｎo.４に示すように、データＤ２−２とデータＤ２−３を後で記録するためのスペース(領域Ａの☆印部分)を空けてＤ３以降を記録していく。
【００６２】
このとき、レーザーＢ、Ｃで記録したデータは、あくまでも仮に記録しておくためのデータであり、後でこれらのデータ(Ｄ２−１、Ｄ２−２、Ｄ２−３)を連続した形に再記録できるようにスペースを空けておく。
【００６３】
次に、データＤ５の記録ビットレートを２Ｎに上げる必要が生じた場合には、Ｎo.５に示すように、データＤ２−２に続けて更にデータＤ５−２を記録する。このとき、データＤ５の記録ビットレートは３Ｎに上げる必要が無いので、次のＮo.６に示すように、後でデータＤ５−２を記録するためのスペース(図の☆印部分)を空け、ここにデータＤ６として記録する。
【００６４】
一方、途中記録が途切れたときは、Ｎo.７に示すように、後で☆印部分にデータＤ２−２、Ｄ２−３、Ｄ５−２を追記しておく。
【００６５】
すなわち、この実施形態では、レーザーＢ、Ｃで記録したデータは、あくまでも仮に記録しておくためであり、後でデータが連続した形のデータＤ２−１、Ｄ２−２、Ｄ２−３及びデータＤ５−１、Ｄ５−２となるように再記録した後は、通常のデータ記録領域としてデータが上書きされる。
【００６６】
このとき、現状の記録データの記録が境界線Ａｅまで達した場合、そのまま領域Ｂと領域Ｃを上書きしながら続いて記録していくことになり、このため、領域Ｂ、Ｃの間は記録ビットレートをＮから上げられないが、ディスクにデータが記録されない空き領域が生じてしまうことは無い。
【００６７】
次に、図３ａにより、本発明の一実施形態に係るディスク記録装置について、更に詳細に説明すると、まず、画像(記録)データは、ＭＰＥＧ２エンコーダ２に入力される。ここで、このＭＰＥＧ２エンコーダ２は、全体としては一般的に使用されているものと同じである。
【００６８】
このとき、レート制御部２９は、ユーザーにより任意に設定されたＮ信号をビットレートＮ設定部３から入力し、これにより、この実施形態におけるバリアブルビットレート記録時の最高記録ビットレートをＮにした動作状態にされる。
【００６９】
ここで、この実施形態におけるＭＰＥＧ２エンコーダ２が、従来の回路と異なる点は、レート制御部２９により最高記録ビットレートが３Ｎ迄はレート制限をかけずにそのまま量子化回路２４を動作させるように構成されている点と、バッファメモリ２８として記憶容量の多いものが備えられている点にある。
【００７０】
そして、まず、最高記録ビットレートが２Ｎ以下のときは、記録レート計算回路１１の出力信号がビットレート２Ｎ検出部１２からＰＵ Ａ／Ｂアドレスメモリ１４に入力され、この時点でのレーザーＡとレーザーＢのアドレスがＰＵ Ａ／Ｂアドレスメモリ１４により記憶される。
【００７１】
これにより、回路Ａ、Ｂ、Ｃ制御部１６とピックアップ制御部１７は、録再データ処理回路５Ａと録再用ピックアップ６ＡのレーザーＡが、例えば図４のＮo.５のデータＤ５−１を記録しているとき、それと同時に、並行して録再データ処理回路５Ｂと録再用ピックアップ６ＢのレーザーＢを動作させ、データＤ５−２を記録する。
【００７２】
このとき、図５ａのタイムチャートにおけるバッファメモリ出力Ｔ１ａ：記録)を見れば明らかなように、最高記録ビットレートがＮまでのとき必要なクロック周波数をＣＬＫとすると、図３ａのバッファメモリ２８のデータは、クロック周波数を２倍にして、つまり２ＣＬＫに上げて読み出す必要があることが判り、同じく、録再データ処理回路５Ａ、５Ｂには、２ＮのデータレートをデータレートＮに下げる回路が必要なことが判る。
【００７３】
つまり、バッファメモリ２８のデータがタイミングＴ１ａで出力された場合、Ｄ５−１とＤ５−２のデータは、それぞれ録再データ処理回路５Ａと録再データ処理回路５Ｂにより少し遅らされ、時刻Ｔ２ａと時刻Ｔ３ａのタイミングで出力され、それぞれレーザーＡ、レーザーＢでディスクの領域Ａと領域Ｂの該当するアドレスに記録されることになる。
【００７４】
また、図３ａにおいて、最高記録ビットレートが３Ｎ迄の場合は、記録レート計算回路１１から、ビットレート２Ｎ検出部１２とビットレート３Ｎ検出部１３に出力信号が供給されるようになる。
【００７５】
このときのレーザーＡとレーザーＢ、それにレーザーＣのアドレスを、ＰＵ Ａ／Ｂアドレスメモリ１４とＰＵ Ａ／Ｃアドレスメモリ１５により記憶し、回路Ａ、Ｂ、Ｃ制御部１６とピックアップ制御部１７を用い、録再データ処理回路５ＡとレーザーＡにより、例えば図４のデータＤ２−１を記録するのと同時に録再データ処理回路５ＢとレーザーＢを動作させ、データＤ２−２を記録し、更に、これと同時に録再データ処理回路５ＣとレーザーＣを動作させ、データＤ２−３を記録する。
【００７６】
このときも図５ａのタイムチャート(Ｔ１ａ)から明らかなように、図３のバッファメモリ２８のデータは、同じく３ＣＬＫのクロックに周波数を上げて読み出す必要があることと、録再データ処理回路５Ａ、５Ｂ、５Ｃ内に３ＮのデータレートをＮのデータレートに下げる回路が必要なことが判る。
【００７７】
こうして、タイミングＴ１ａでバッファメモリ２８からデータが読み出さされた場合、Ｄ２−１とＤ２−２、それにＤ２−３の各データは、それぞれ録再データ処理回路５Ａと録再データ処理回路５Ｂ、それに録再データ処理回路５Ｃにより、少し遅れたタイミングＴ２ａ、Ｔ３ａ、Ｔ４ａで出力され、それぞれレーザーＡ、レーザーＢ、レーザーＣによりディスクの領域Ａと領域Ｂ、それに領域Ｃの該当するアドレスに記録される。
【００７８】
そして、図４のＮo.４〜Ｎo.６の☆印部分(Ｄ２−２、Ｄ２−３及びＤ５−２)は予め空けて記録し、図４のＤ６以降で記録動作が中断したとき、Ｎo.７に示すように、そのデータを領域Ｂと領域Ｃから領域Ａに移動させる。
【００７９】
そこで、この動作については、データ整列時と呼び、以下、このデータ整列時の動作について、図３ｂにより説明する。ここで、この図３ｂは、録再用ピックアップ６Ｂ、６Ｃと録再データ処理回路５Ｂ、５Ｃにおけるデータの方向が、図３ａと異なるだけである。
【００８０】
そして、まず、領域ＢのデータＤ２−２と領域ＣのデータＤ２−３を領域ＡのデータＤ２−１の後に移動させる場合の動作について説明する。
【００８１】
最初、回路Ａ、Ｂ、Ｃ制御部１６とピックアップ制御部１７により、ＰＵ Ａ／Ｂアドレスメモリ１４に記憶してあるアドレスに基いて、録再データ処理回路５Ｂと録再用ピックアップ６Ｂ内のピックアップＢをＯＮにする。
【００８２】
そして、Ｄ２−２のデータをピックアップＢにより再生し、録再データ処理回路５Ａ内のバッファメモリ(図示せず)に伝送する。
【００８３】
また、このＤ２−２のデータを再生すると同時にＰＵ Ａ／Ｃアドレスメモリ１５に記憶されているアドレスに基づき、回路Ａ、Ｂ、Ｃ制御部１６とピックアップ制御部１７により録再データ処理回路５Ｃと録再用ピックアップ６Ｃ内のピックアップＣをＯＮにしてＤ２−３のデータを再生し、録再データ処理回路５Ａ内のバッファメモリ(図示せず)に伝送する。
【００８４】
そして、各バッファメモリにＤ２−２、Ｄ２−３のデータが格納し終わった時点で、同じくＰＵ Ａ／Ｂアドレスメモリ１４に記憶されているアドレスに基づき、回路Ａ、Ｂ、Ｃ制御部１６とピックアップ制御部１７により、録再データ処理回路５Ａと録再用ピックアップ６Ａ内のレーザーＡをＯＮにし、図５ｂ及び図４のＮo.７の領域Ａに示すように、Ｄ２−２、Ｄ２−３のデータを記録していく。
【００８５】
また、領域ＢのデータＤ５−２についても、同じく図５ｂ及び図４にＮo.７の領域Ａに示すように、領域ＢからピックアップＢによりＤ５−２のデータを再生し、レーザーＡにより領域Ａの該当する箇所に書き込む。
【００８６】
このとき、レーザーＡによる記録領域が途中で境界線Ｂｓに達してしまった場合、記録済みのＤ２−２、Ｄ５−２、……以下のデータは不要なので、そのままレーザーＡにより、通常の記録レートでの記録を続ける。
【００８７】
このようにレーザーＡ、Ｂ、Ｃで記録したデータ量を、ＣＬＶ方式によりディスクに記録可能な最大データ量以下に抑えるように制御することにより、ディスクに無駄な領域が生じないようにすることができる。
【００８８】
次に、本発明によるディスク記憶装置により、上記のようにしてディスク上に整列させたデータを再生させるための本発明の実施形態に係るディスク再生装置について、以下、図示の実施形態により詳細に説明する。
【００８９】
図６は、本発明に係るディスク再生装置の一実施形態で、この実施形態が図３ａと図３ｂで説明した実施形態と異なる点は、ＭＰＥＧ２デコーダ７とディスク回転数制御回路８、それにＭＰＥＧ２デコーダ７に可変長デコード部３０が備えられている点と、データの方向にある。
【００９０】
このとき、録再用ピックアップ６Ａ、６Ｂ、６ＣのピックアップＡ、Ｂ、Ｃの各々及び録再データ処理回路５Ａ、５Ｂ、５Ｃの各々とピックアップ制御部１７により請求項にいうデータを再生する手段を構成する。
【００９１】
そして、まずＭＰＥＧ２デコーダ７は、動画データ量を削減するために一般的に使用されているＭＰＥＧ２エンコーダにより圧縮されたデータを伸張して、元の画像データに復元する働きをする。
【００９２】
そして、このＭＰＥＧ２デコーダ７は、可変長デコーダ部３０は異なっているが、他の部分は図３のＭＰＥＧ２エンコーダ２と同じ回路で構成されている。
【００９３】
次に、ディスク回転数制御回路８は、最高記録ビットレートに応じてディスクの回転数を制御する働きをするもので、図６のビットレートＮ設定回路３により設定されたディスクの回転数が３倍速(ビットレート３Ｎの場合、つまりＦＮの場合)なら、ディスクの回転数を３倍速に、つまり通常の回転数をＫとすれば、回転数を３Ｋに上げる。
【００９４】
そして、この実施形態によりディスク上に整列させたデータを再生させるための第１の手順では、ディスク回転数３Ｋのもとで、つまり可変ビットレート方式のもとで、録再用ピックアップ６Ａ内のデータ再生用ピックアップＡと録再データ処理回路５Ａ、それにＭＰＥＧ２デコーダ７だけをＯＮにし、図７ａのＴ２ｃに示すように、最高記録ビットレート３Ｎで記録されているデータを３倍速で再生する。
【００９５】
そうすると、図４のＮo.７で一定の時間(３Ｔ)内に、データ再生能力を３倍に引き上げることができ、最高記録ビットレートが３Ｎのデータ(Ｄ２−１、Ｄ２−２、Ｄ２−３)を３Ｔ時間内に処理し、記録したデータを元のデータに復元できる。
【００９６】
このとき、録再データ処理回路５ＡとＭＰＥＧ２デコーダ７内のクロックも３倍の周波数にする必要があるのはいうまでもない。また、この結果、最高記録ビットレートが２Ｎ(ＥＮ)の場合は、ディスクの回転数は当然２Ｋ(Ｅ＝２)で、録再データ処理回路５ＡとＭＰＥＧ２デコーダ７内のクロックも、同じくＥ倍、つまり２倍の周波数にしなければならない。
【００９７】
ところで、この第１の手順においても、下記のように、ディスク上の最高記録ビットレート２Ｎや３Ｎの付近でだけ２倍速及び３倍速で再生するという手順も考えられる。
【００９８】
この手順の場合、まず、図６において、バッファメモリ２８内のデータのヘッダ(ユーザー記録データの先頭に有る記録レート等の情報)をレート制御部２９で調べ、ビットレート３Ｎで記録した箇所があるか否かを確認する。
【００９９】
ここで、ビットレート３Ｎで記録した箇所があった場合は、ディスク回転数制御回路８を働かせ、ディスクの回転数を３倍速、つまり回転数を３Ｋに上げ、録再用ピックアップ６Ａ内のピックアップＡと録再データ処理回路５Ａ、それにＭＰＥＧ２デコーダ７をＯＮにする。
【０１００】
このとき、録再データ処理回路５ＡとＭＰＥＧ２デコーダ７内のクロックも３倍の周波数にし、図７ａのＴ２ｃに示すように、最高記録ビットレート３Ｎで記録してあるデータを３倍速のもとで再生するのである。
【０１０１】
こうすることにより、図４のＮo.７に示すように、一定の時間内にデータを再生することができる能力を３倍に引き上げることができ、最高記録ビットレートが３ＮのデータＤ２−１、Ｄ２−２、Ｄ２−３を時間３Ｔ内に処理し、記録されていた元のデータに復元することができる。
【０１０２】
従って、最高記録ビットレートが２Ｎの場合は、ディスクの回転数は２倍で、録再データ処理回路５ＡとＭＰＥＧ２デコーダ７内のクロックも２倍の周波数にしなければならないことはいうまでもない。
【０１０３】
ところで、以上の手順の場合、再生動作中、ディスクを２倍速又は３倍速(固定)で高速に回転させたり、途中で１倍速、２倍速、３倍速に変更するのは難しい点があるため、現実的には下記の第２の手順によるのが望ましい。
【０１０４】
前述した第１の手順では、再生中、ディスクを常に２倍又は３倍速とした場合と、再生の途中で倍速を変更する場合でも、データＤ２−１、Ｄ２−２、Ｄ２−３については３倍速にし、データＤ５−１、Ｄ５−２については２倍速としている。
【０１０５】
ここで、再生時に２Ｎや３Ｎのビットレートが必要なのは、図４のＮo.７の☆印部分のように、ディスクの記録領域の一部分のみである。そこで、この第２の手順では、図８に示す実施形態を用い、☆印部分のデータＤ２−２、Ｄ２−３、Ｄ５−２についてだけ電源ＯＮ時や、データ再生開始時に通常の速度(Ｋ)で再生し、あらかじめメモリに記憶しておき、後でＤ２−１、Ｄ５−１とあわせてデータを復元する。
【０１０６】
この図８の実施形態は、図６の実施形態にショックプルーフメモリ９を追加したもので、このとき、このショックプルーフメモリ９は、図６の再生データ以降のデータ処理回路用にデータを一時的に蓄える役割を持つバッファメモリ２８とは別のメモリのことであり、その他の構成には変わりはない。
【０１０７】
そして、このショックプルーフメモリ９には、☆印部分のデータＤ２−２、Ｄ２−３、Ｄ５−２を予め記憶させておき、図７ｂのＴＭに示すように、データＤ２−１とＤ５−１を再生する直前に、このショックプルーフメモリ９から読み出してバッファメモリ２８に転送する。
【０１０８】
そうすると、ここで、図７ｂのＴ２ｄに示すように、録再データ処理回路５Ａから出力されてくるデータＤ２−１とＤ５−１に合わされ、図５ａのＴ１ａに示すように、元のデータと同じに復元される。
【０１０９】
このようにすれば、ディスクの一部分に高記録ビットレートの部分があるディスクを常時、２倍速や３倍速に駆動して、無駄な電力が消費されるのを許しておかなくても済み、一時的にディスクの回転数を２倍速や３倍速にするという難しい制御を行なわせたりする必要も無くすことができる。
【０１１０】
ところで、以上の実施形態では、記録ビットレートがＮを越えるデータについてもディスク上で連続して整列させるようにしているが、ここでレーザーＡが図１の領域Ａの最後の境界線Ａｅに到達したときデータの記録を終了させ、領域Ｂと域Ｃは残したままにすることも可能である。
【０１１１】
そこで、以下、このようにディスクの領域Ｂ、Ｃを残すようにした場合の本発明によるディスク記録装置とディスク再生装置の実施形態について説明する。
【０１１２】
ここで、まず、図９は、ディスクなどの記録媒体の総記録面積とレーザーＡ、Ｂ、Ｃによる記録位置の関係を示した図で、図１０は、本発明によるディスク再生装置の他の一実施形態を示すブロック図である。
【０１１３】
このとき、この図１０の実施形態は、図６の実施形態において、それらからディスク回転数制御回路８を除いた上で、録再データ処理回路５Ａ、５Ｂ、５Ｃからバッファメモリ２８に行くバスを別々に３系統設けたものであり、その他の構成は同じである。
【０１１４】
なお、この実施形態でも、記録レートの制御については、例えば記録ビットレートをＮから向上させる場合、１．１Ｎや１．５Ｎや２．３Ｎなど、必要最小限行ってゆけば良いが、この実施形態でも、説明を簡略化するため、同じく記録ビットレートをＮから２Ｎ、及び３Ｎに向上させる場合について説明する。
【０１１５】
そして、この実施形態の場合、記録時には、図３ｂで説明したデータ整列は行わない。すなわち、図４のＮo.７の領域Ａにおける☆印部分を空けずに、図９のＮo.７の領域Ａに示すように、ディスク上のデータＤ２−１の次にはデータＤ３を記録する。同様に、ディスク上のデータＤ５−１の次にはデータＤ６を記録する。
【０１１６】
従って、この実施形態においても、記録時は、図３ａのときと同じく、録再データ処理回路５Ａ、５Ｂ、５Ｃと、録再用ピックアップ６Ａ、６Ｂ、６Ｃの各レーザーＡ、Ｂ、Ｃを動作させ、図９に示すように、データＤ２−１、Ｄ２−２、Ｄ２−３をディスクに同時に記録することになる。
【０１１７】
また、データＤ５−１、Ｄ５−２についても、録再データ処理回路５Ａ、５Ｂと、録再用ピックアップ６Ａ、６Ｂの各レーザーＡ、Ｂを動作させ、同じく図９に示すように、同時に記録することになる。
【０１１８】
そして、再生時、例えばデータＤ２−１やＤ５−１の再生時には、図１０の録再データ処理回路５Ｂ、５Ｃと、録再用ピックアップ６Ｂ、６Ｃを動作させ、データＤ２−２、Ｄ２−３とデータＤ５−２を、図７ｃのＴ２ｅ、Ｔ３ｅ、Ｔ４ｅに示すように、データＤ２−１、Ｄ２−２、Ｄ２−３と、データＤ５−１、Ｄ５−２がバッファメモリ２８に同時に入力されるように制御するのである。
【０１１９】
従って、本発明に係るディスク記録装置とディスク再生装置の実施形態は、ディスク状記録媒体として光ディスク又は光磁気ディスク、記録手段として半導体レーザー、再生手段として半導体ピックアップ、記録データ量を削減する手段としてＭＰＥＧ２方式を用い、ＤＶＤ−ＲＡＭ、ＤＶＤ−ＲＷ、ＤＶＤ＋ＲＷなどの一般的なディジタルビデオディスクレコーダーに適用することができる。
【０１２０】
ここで、上述したように、一般にＭＰＥＧ２方式により可変記録ビットレートでデータを記録する場合、例えばビットレートの上限が５Ｍbps の可変記録ビットレートのもとで光ディスク上に記録していく場合、動きの激しいシーンでは解像度が悪くなる。
【０１２１】
しかし、上記した本発明の一実施形態によれば、その動きの激しいシーンでのみ必要に応じて１０Ｍbps や１５Ｍbps で記録させることができるので、動きの激しいシーンの画質の劣化が最小限で済む。
【０１２２】
また、上記したディスク記録装置の一実施形態によれば、例えば５Ｍbps の最高記録ビットレートを越えた部分の記録データはディスクの別領域に一時的に記録させ、後で越えた部分の記録データを読み出した上でデータを並べ替えるようにしたので、記録データの連続性と光ディスクや光磁気ディスクのＣＬＶ規格を満たすことができる。
【０１２３】
また、上記したディスク再生装置の一実施形態によれば、一部最高記録ビットレート１５Ｍbps で記録済みのディスクを１個のピックアップで再生するため、最高記録ビットレート１５Ｍbps で記録したディスクの通常の回転数をＫとしたとき、再生時にディスクの回転数を３Ｋに固定してデータを再生するので、最高記録ビットレート１５Ｍbps のデータを記録したディスクから元の記録データを復元できる。
【０１２４】
また、上記したディスク再生装置の一実施形態によれば、一部最高記録ビットレート１５Ｍbps で記録済みのディスクを１個のピックアップで再生するため、最高記録ビットレート１５Ｍbps で記録したディスクの通常の回転数をＫとしたとき、再生時に最高記録ビットレート１５Ｍbps で記録済みの箇所のみディスクの回転数を３Ｋに上げて再生するので、常時回転数を３Ｋにするより低い消費電力にて、最高記録ビットレート１５Ｍbps のデータを記録したディスクから元の記録データを復元できる。
【０１２５】
また、上記したディスク再生装置の一実施形態によれば、一部最高記録ビットレート１５Ｍbps で記録済みのディスクを１個のピックアップで再生するため、電源ＯＮ時や再生開始時、予め回転数Ｋで最高記録ビットレートがＮを越えた部分のデータを読み出し、半導体メモリに一時蓄えておき、そのデータとペアとなる最高記録ビットレートがＮ以下のデータの部分が再生されたとき、これら両者をまとめて元の記録データに復元でき、この結果、ディスクの回転数を上げ無駄な電力を消費せずに最高記録ビットレートが３Ｎの記録済みデータを再生できる。
【０１２６】
また、上記したディスク再生装置の一実施形態によれば、最高記録ビットレートが５Ｍbps を越えた部分のデータを整列させず、２個又は３個のピックアップで同時に読み出して元の記録データに復元しているので、ディスクの回転数を上げ無駄な電力を消費せずに最高記録ビットレートが５Ｍbps を越えた部分の記録済みデータを再生できる。
【０１２７】
なお、以上に説明した実施形態では、最高記録ビットレートを向上させるために使用されているデータ圧縮方式としてＭＰＥＧ２方式を採用しているが、本発明は、他のデータ圧縮方式によっても実施できることは言うまでもない。
【０１２８】
ところで、以上の実施形態では、光ディスクや光磁気ディスクにデータを記録する場合の最高記録ビットレートを上げるものであったが、ここで、以下、本発明に係るディスク記録装置とディスク再生装置をＨＤＤ(ハードディスクデコーダー)のデータバックアップ用に使用する場合について説明する。
【０１２９】
ＨＤＤのデータバックアップ用として光ディスクを使用する場合、ＨＤＤの方がデータ転送速度が速いため、大容量のデータファイルをコピーする際、光ディスクはＨＤＤの記録速度に追いつかない。
【０１３０】
それでも後から記録済みのＨＤＤのデータを再生して光ディスクに記録したり、一時的なデータの退避用に光ディスク内に内蔵メモリを多く持つようにしてやれば対応可能である。
【０１３１】
しかし、前者は、記録済みデータを再生中にＨＤＤがダウンしたとすると、そのデータはバックアップできなくなり、後者は、内蔵メモリを多く持つことにより回路規模とコストが共に増すため、現実的な解決方法とは言えない。
【０１３２】
このとき上記した実施形態による装置をＨＤＤのデータバックアップ用に使用したとすると、この場合、まず、図３ａの実施形態において、ＭＰＥＧ２エンコーダ２が不要になり、ここでビットレートＮ設定部３で記録ビットレート３Ｎを設定した場合、前述したように、ディスクの領域Ｂ、Ｃのデータを後で領域Ａに整列させる手法を用いることにより、ＨＤＤのデータを３倍の速度で記録することができ、パックアップが可能になる。
【０１３３】
そして、このデータを再生する場合、データをバックアップするだけなので、前述したＭＰＥＧ２のように一定時間内にデータを再生する必要が無いため、通常通り録再用ピックアップ６Ａと録再用データ処理回路５ＡのみＯＮとしてディスクの回転数は通常の速度にして再生すれば良い。
【図面の簡単な説明】
【０１３４】
【図１】本発明におけるディスクとレーザーの位置関係とディスクの記録領域の説明図である。
【図２】記録開始時及び記録終了時のレーザーの位置を表す説明図である。
【図３ａ】本発明に係るディスク記録装置を最高記録ビットレート３Ｎ動作にしたときの一実施形態を示すブロック図である。
【図３ｂ】本発明に係るディスク記録装置をデータ整列時動作にしたときの一実施形態を示すブロック図である。
【図４】記録媒体の総記録面積とレーザーＡ、Ｂ、Ｃによる記録位置の関係を表す説明図である。
【図５ａ】本発明に係るディスク記録装置の一実施形態による記録時の動作を説明するためのタイムチャートである。
【図５ｂ】本発明に係るディスク記録装置の一実施形態によるデータ並べ替時の動作を説明するためのタイムチャートである。
【図６】本発明に係るディスク再生装置をＮ倍速データ再生動作にしたときの一実施形態を示すブロック図である。
【図７ａ】本発明に係るディスク再生装置の一実施形態による３倍速再生時の動作を説明するためのタイムチャートである。
【図７ｂ】本発明に係るディスク再生装置の一実施形態によるショックプルーフメモリ使用時の動作を説明するためのタイムチャートである。
【図７ｃ】本発明に係るディスク再生装置の一実施形態による領域Ｂ、Ｃを残すときの動作を説明するためのタイムチャートである。
【図８】本発明に係るディスク再生装置をショックプルーフメモリ使用動作にしたときの一実施形態を示すブロック図である。
【図９】記録媒体の総記録面積とレーザーＡ、Ｂ、Ｃによる記録位置の関係を表す説明図である。
【図１０】本発明に係るディスク再生装置を領域Ｂ、Ｃを残す動作にしたときの一実施形態を示すブロック図である。
【符号の説明】
【０１３５】
１  記録レート伸張回路
２  ＭＰＥＧ２エンコーダ
３  ビットレートＮ設定部
４  ディスクアドレス制御回路
５Ａ  録再データ処理回路Ａ
５Ｂ  録再データ処理回路Ｂ
５Ｃ  録再データ処理回路Ｃ
６Ａ  録再用ピックアップＡ
６Ｂ  録再用ピックアップＢ
６Ｃ  録再用ピックアップＣ
７  ＭＰＥＧ２デコーダ
８  ディスク回転数制御回路
９  ショックプルーフメモリ
１１  記録レート計算回路
１２  ビットレート２Ｎ検出部
１３  ビットレート３Ｎ検出部
１４  ＰＵ Ａ／Ｂアドレスメモリ
１５  ＰＵ Ａ／Ｃアドレスメモリ
１６  回路Ａ、Ｂ、Ｃ制御部
１７  ピックアップ制御部
２１  動き検出回路
２２  予測メモリ
２３  ＤＣＴ
２４  量子化器
２５  逆量子化器
２６  ＩＤＣＴ
２７  可変長エンコード部
２８  バッファメモリ
２９  レート制御部
３０  可変長デコード部
【図１】
2005141834.tif 000003
【図２】
2005141834.tif 000004
【図３ａ】
2005141834.tif 000005
【図３ｂ】
2005141834.tif 000006
【図４】
2005141834.tif 000007
【図５ａ】
2005141834.tif 000008
【図５ｂ】
2005141834.tif 000009
【図６】
2005141834.tif 000010
【図７ａ】
2005141834.tif 000011
【図７ｂ】
2005141834.tif 000012
【図７ｃ】
2005141834.tif 000013
【図８】
2005141834.tif 000014
【図９】
2005141834.tif 000015
【図１０】
2005141834.tif 000016